(57)【要約】【課題】適正な範囲を適正な押圧力で押圧することで、患者が、手軽に、仙骨を正しい位置に矯正することができる関節包内矯正具を提供する。【解決手段】関節包内矯正具１００は、仙骨および腸骨の周囲を包囲する第１コルセット１０と、第２コルセット２０と、第３コルセット３０と、第１コルセットに設けられ、仙腸関節を押圧して弾性変形する中空の球面体により形成された圧迫体Ｐを収納するための袋部５０とを備えている。袋部５０は、伸縮性を有し、圧迫体を挟持する部材により形成され、圧迫体Ｐを横並びに収納するように一対形成されている。袋部５０に収納された圧迫体Ｐが、仙腸関節を押圧するときに、圧迫体Ｐが仙骨と上後腸骨棘とによりできる凹部に支持される。また、圧迫体Ｐの曲面により、正中仙骨稜との間に隙間ができるので、治療において、正中仙骨稜を圧迫することによる痛みが伴い難い。【選択図】図２
2015177897.tif 000002
【特許請求の範囲】
【請求項１】
仙骨および腸骨の周囲を包囲する装着体と、
前記装着体に設けられ、仙腸関節を押圧して弾性変形する中空の球面体により形成された圧迫体を収納するための袋部とを備えたことを特徴とする関節包内矯正具。
【請求項２】
前記袋部は、前記圧迫体を横並びに収納するように形成されている請求項１記載の関節包内矯正具。
【請求項３】
前記袋部は、前記圧迫体が仙腸関節を押圧するときに、前記圧迫体が仙骨と上後腸骨棘とによりできる凹部に支持される位置に形成されている請求項１または２記載の関節包内矯正具。
【請求項４】
前記袋部は、前記圧迫体が仙腸関節を押圧するときに、前記圧迫体の曲面により、正中仙骨稜との間に隙間ができる位置に形成されている請求項１から３のいずれかの項に記載の関節包内矯正具。
【請求項５】
前記袋部は、伸縮性を有し、前記圧迫体を挟持する部材により形成されている請求項１から４のいずれかの項に記載の関節包内矯正具。
【請求項６】
前記装着体として、装着者の下腹部に巻き付けられる第１コルセットと、
前記装着者の腹部に巻き付けられる第２コルセット２０と、
前記第２コルセットを上段に、前記第１コルセットを下段にして装着者の背中側で連結する連結部と、
前記第１コルセットの前側にから、前記装着者の臀部に向けて巻き付けられる第３コルセットとを備えた請求項１から５のいずれかの項に記載の関節包内矯正具。
【発明の詳細な説明】
【技術分野】
【０００１】
本発明は、仙骨と腸骨とを繋ぐ仙腸関節の関節包の内部に押圧力を付与することで、仙骨を正しい位置に矯正する関節包内矯正具に関するものである。
【背景技術】
【０００２】
姿勢が不良であると、仙骨が後方に傾斜して、背骨が後方に凸状に曲がった状態となる。いわゆる背骨が前屈みになった状態である。仙骨を前方に傾斜した状態とすると、背骨がＳ字状に湾曲して正常な状態に矯正することができる。
このような従来の矯正具として、特許文献１，２に記載されたものが知られている。
【０００３】
特許文献１に記載の腰用ベルトは、ベルト本体の裏面側で、腸骨の上・下後腸骨棘部に当接する部位に、カップ状をした一対のカップ状腸骨当て具と、カップ状腸骨当て具の凹面内底に設けられ、硬度の高い素材により形成された突起体とが配置されたものである。
【０００４】
また、特許文献２に記載の医療用コルセットは、仙腸関節部分の外周を包囲する弾性材製の下帯部と、横腹から身体正面側の上腹部を包囲する弾性材製の上帯部と、上帯部の裏面側には、身体に装着した時に、横腹部分に位置して内外腹斜筋を押圧する指圧具とを備えたものである。この指圧具は、柔軟な布状のベースシートの内面に、衝撃吸収ゴムで形成された網目状隆起部が貼着されたものにより形成されている。
【先行技術文献】
【特許文献】
【０００５】
【特許文献１】国際公開第２００８／００１４４０号
【特許文献２】特開平１０−１５５８２５号公報
【発明の概要】
【発明が解決しようとする課題】
【０００６】
しかし、特許文献１に記載の腰用ベルトは、突起体が硬度の高い素材により形成されたているため、ピンポイントに上・下後腸骨棘部を押圧する。従って、特許文献１に記載の腰用ベルトは、突起体により、上・下後腸骨棘部を押さえ込み、矯正すると言うより、指先で押圧したときのような、部分的な痛みが伴うものと思われる。
【０００７】
また、特許文献２に記載の医療用コルセットは、腰痛を緩和させるためのものであるため、上帯体により締め付けることで、パッド状の指圧具が横腹部分に位置する内外腹斜筋を押圧したり、下側に位置する下帯体の指圧具が仙骨および仙腸関節を含む範囲を押圧したりするが、指圧具の面積が広いため、矯正には至らない。
【０００８】
矯正の治療は、治療の専門家に施術を依頼するのが望ましいが、患者が自宅で手軽に施術でき、症状を改善させて、痛みを緩和させることができれば、生活への支障を軽減させることができる。
【０００９】
そこで本発明は、適正な範囲を適正な押圧力で押圧することで、患者が、手軽に、仙骨を正しい位置に矯正することができる関節包内矯正具を提供することを目的とする。
【課題を解決するための手段】
【００１０】
本発明の関節包内矯正具は、仙骨および腸骨の周囲を包囲する装着体と、前記装着体に設けられ、仙腸関節を押圧して弾性変形する中空の球面体により形成された圧迫体を収納するための袋部とを備えたことを特徴とする。
【００１１】
本発明の関節包内矯正具によれば、袋部が仙骨と腸骨とを繋ぐ仙腸関節に対応する位置に形成されているため、圧迫体が、仙骨のそれぞれの外側部（がいそくぶ）を押圧して、仙骨を前方へ押し上げ、傾斜させることで、背骨がＳ字状に湾曲させることができる。また、圧迫体は、仙骨を押圧して弾性変形する中空の球状体により形成されているため、仙骨への押圧に応じて、圧迫体が弾性変形して窪み、押圧する範囲が仙骨の外側部から中央部分を含む範囲に拡がることで、適度な圧迫力を維持しつつ、適正な範囲を押圧することができるので、仙腸関節の関節包の内部を、圧迫体が押圧して矯正することで、姿勢不良などにより固定化された仙腸関節の可動域を正常に戻すことができる。
ここで、球面体とは、球体または半球体などの凸曲面を有する立体を示す。
【００１２】
前記袋部が、前記圧迫体を横並びに収納するように形成されていると、右側と左側の双方の仙腸関節に押圧力を掛けることができる。
【００１３】
前記袋部は、前記圧迫体が仙腸関節を押圧するときに、前記圧迫体が仙骨と上後腸骨棘とによりできる凹部に支持される位置に形成されていると、圧迫体が仙骨と腸骨の上後腸骨棘とにそれぞれ支持されるので、仙骨と上後腸骨棘との間で圧迫体を安定させることができる。
【００１４】
前記袋部は、前記圧迫体が仙腸関節を押圧するときに、前記圧迫体の曲面により、正中仙骨稜との間に隙間ができる位置に形成されていると、圧迫体による押圧力が正中仙骨稜に掛からないため、装着者は、正中仙骨稜への押圧力による痛みを伴うことなく、治療することができる。
【００１５】
前記袋部が、前記袋部は、伸縮性を有し、前記圧迫体を挟持する部材により形成されていると、圧迫体の位置を微調整することができるため、装着者の体のサイズに応じて圧迫体を適切な位置に配置することができる。
【００１６】
前記装着体として、装着者の下腹部に巻き付けられる第１コルセットと、前記装着者の腹部に巻き付けられる第２コルセット２０と、前記第２コルセットを上段に、前記第１コルセットを下段にして装着者の背中側で連結する連結部と、前記第１コルセットの前側にから、前記装着者の臀部に向けて巻き付けられる第３コルセットとを備えることが望ましい。装着者が身長方向に前後しても、第１コルセットは、背中側が第２コルセットにより連結され、腹部側が第３コルセットにより連結されているためずれ難い。
【発明の効果】
【００１７】
本発明は、適度な圧迫力を維持しつつ、適正な範囲を押圧することができるので、仙腸関節の関節包の内部を、圧迫体が押圧して矯正することで、姿勢不良などにより固定化された仙腸関節の可動域を正常に戻すことができる。従って、患者が、手軽に、仙骨を正しい位置に矯正することができる。
【図面の簡単な説明】
【００１８】
【図１】本発明の実施の形態に係る関節包内矯正具を後方から見た斜視図である。
【図２】図１に示す関節包内矯正具を正面から見た斜視図である。
【図３】図１に示す関節包内矯正具の第１コルセットの垂直断面図である。
【図４】図１に示す関節包内矯正具の圧迫体が仙腸関節を押圧する位置を説明するための図である。
【図５】図１に示す関節包内矯正具を用いて治療する状態を説明するための図であり、骨盤と背骨とを側方から見た図である。
【図６】図１に示す関節包内矯正具を用いて治療する状態を説明するための図であり、仙骨を上方から見た図である。
【発明を実施するための形態】
【００１９】
本発明の実施の形態に係る関節包内矯正具を図面に基づいて説明する。
図１および図２に示すように、本発明の実施の形態に係る関節包内矯正具１００は、圧迫体により、仙骨と腸骨とを繋ぐ仙腸関節の関節包の内部に押圧力を付与することで、仙骨を正しい位置に矯正するものである。
関節包内矯正具１００は、下腹部に巻き付ける第１コルセット１０と、腹部に巻き付ける第２コルセット２０と、臀部に巻き付ける第３コルセット３０と、第１コルセット１０および第２コルセット２０とを繋ぐ連結部４０と、圧迫体Ｐを収納するための袋部５０とを備えている。
【００２０】
第１コルセット１０は、装着体として、仙骨および腸骨を包囲することで、下腹部に巻き付けられる。第１コルセット１０は、長さ方向に伸縮性を有する帯状の第１コルセット本体１１と、第１コルセット本体１１の両端部に設けられ、第１コルセット本体１１の端部同士を接着する接着部材である面ファスナー１２とを備えている。
【００２１】
第１コルセット本体１１は、長さ方向に伸縮する複数本のベルトを幅方向に並べて繋いだものである。従って、第１コルセット本体１１は、長さ方向に伸びたり、元の長さに戻ったりするが、幅方向には伸びない構造である。第１コルセット本体１１は、背中の位置から下腹部を周回するため、第２コルセット２０より長く形成されている。第１コルセット本体１１は、第３コルセット３０と連結するために、第１コルセット本体１１の表面が面ファスナーと接着する接着面に形成されている。
面ファスナー１２は、フック面とループ面との接着面から形成され、第１コルセット本体１１の一端部に、フック面またはループ面のいずれか一方の接着面が設けられ、他端部に他方の接着面が設けられていることで、第１コルセット本体１１を腹部に巻き付ける際の長さを調整するものである。
【００２２】
第２コルセット２０は、肋骨の下部辺りと骨盤の上部辺りとの間を包囲することで腹部に巻き付けられる。第２コルセット２０は、第１コルセット１０と同様に、長さ方向に伸縮性を有する帯状の第２コルセット本体２１と、第２コルセット本体２１の両端部に設けられ、第２コルセット本体２１の端部同士を接着する接着部材である面ファスナー２２とを備えている。
【００２３】
第３コルセット３０は、下腹部からそれぞれの腸骨の上前腸骨棘を包囲することで、臀部に巻き付けられる。第３コルセット３０は、第２コルセット２０と同様に、長さ方向に伸縮性を有する帯状の第３コルセット本体３１と、第３コルセット本体３１の両端部に設けられ、第２コルセット本体２１の前側と接着する接着部材である面ファスナー３２とを備えている。
【００２４】
連結部４０は、第２コルセット２０を上段に、第１コルセット１０を下段することで、第１コルセット１０と第２コルセット２０との帯幅方向を上下に揃えて、装着者の背中側で連結するものである。
連結部４０は、第１コルセット１０および第２コルセット２０のそれぞれの背中部分に設けられたフック面またはループ面のいずれか一方の接着面と、第１コルセット１０と第２コルセット２０とに渡る長さに形成された他方の接着面とにより形成された面ファスナーである。
【００２５】
第１コルセット１０の背中部分の内側には、圧迫体Ｐを収納するための袋部５０が設けられている。袋部５０は、伸縮性を有する部材により形成されている。袋部５０は、ゴム引布や幅広のゴムバンドなどで形成することができる。本実施の形態では、図２および図３に示すように、袋部５０を、上部が開口し、底部が閉塞された平面視Ｕ字状の部材を、第１コルセット本体１１に接着または縫い付けることで、第１コルセット本体１１と一体化している。
【００２６】
従って、袋部５０と共に、第１コルセット本体１１の背中部分を、圧迫体Ｐを収納する収納面としている。袋部５０は、水平断面の輪郭が圧迫体Ｐより小さくなるように形成されている。
袋部５０は、第１コルセット１０の背中部分に横に２つ配置されている。袋部５０は、圧迫体Ｐを収納したときに、圧迫体Ｐ同士が押圧し合う程度の間隔に形成されている。なお、袋部５０は、第１コルセット１０の背中部分の内側に設けることの他、第１コルセット１０の背中部分の外側に設けることもできる。
【００２７】
圧迫体Ｐは、袋部５０に収納されて、仙腸関節に対応する位置に形成されている。圧迫体Ｐは、仙腸関節の関節包を押圧することで弾性変形する中空の球面体により形成されている。
圧迫体Ｐは、例えば、球体である硬式のテニスボールが使用できる。圧迫体Ｐを、硬式のテニスボールとしたときには、圧迫体Ｐは、直径が６．５４ｃｍ以上、６．８６ｃｍ以下であり、２５４ｃｍ±０．３ｃｍの高さから強固な平面に落下させたときの跳ね返りが１３５ｃｍ以上、１４７ｃｍ以下となる弾性力を有している。
【００２８】
以上のように構成される本発明の実施の形態に係る関節包内矯正具１００の使用状態について、図面に基づいて説明する。
【００２９】
まず、患者である装着者は、図１から図３に示すように、袋部５０に圧迫体Ｐを収納する。圧迫体Ｐを袋部５０に収納するときには、袋部５０の開口を、圧迫体Ｐが入る程度に拡げ、圧迫体Ｐを押し込む。袋部５０は、圧迫体Ｐが押し込まれることで、奥深く入る。
【００３０】
次に、装着者は、第１コルセット１０を、背中側から下腹部に引き伸ばしながら巻き付け、面ファスナー１２により留める。また、装着者は、第２コルセット２０を、背中側から腹部に引き伸ばしながら巻き付け、面ファスナー２２により留める。第１コルセット１０と第２コルセット２０との装着の順序は逆でもよい。
次に、装着者は、第３コルセット３０を、第２コルセット２０の前側部分である下腹部から臀部にまわして、面ファスナー３２により留める。このようにして、装着者に関節包内矯正具１００が装着される。
【００３１】
次に、装着者は、関節包内矯正具１００を装着した状態で、例えば、床面に仰向けになる。装着者が仰向けの状態となると、圧迫体Ｐが装着者と床面との間に挟まれることで、装着者の自重により圧迫体Ｐを床面に押し付ける。
図４および図５に示すように、袋部５０が仙骨Ｍ１と腸骨Ｍ２とを繋ぐ仙腸関節Ｍ３に対応する位置に形成されており、装着者の背骨Ｍ４の胸椎Ｍ４１部分が床面Ｆに接した状態で、仙腸関節Ｍ３の背面側である仙骨Ｍ１と床面Ｆとの間に圧迫体Ｐが挟まれているため、圧迫体Ｐが、仙骨Ｍ１のそれぞれの外側部Ｍ１１（がいそくぶ）（図６参照）を押圧して、仙骨Ｍ１を前方へ押し上げ、傾斜させることで、背骨Ｍ４がＳ字状に湾曲する。
また、仙腸関節Ｍ３の関節包の内部を、圧迫体Ｐが押圧して矯正することで、姿勢不良などにより固定化された仙腸関節Ｍ３の可動域を正常に戻すことができる。
【００３２】
また、圧迫体Ｐは、仙骨Ｍ１を押圧して弾性変形する中空の球状体により形成されているため、仙骨Ｍ１への押圧に応じて、圧迫体Ｐが弾性変形して窪み、押圧する範囲が仙骨Ｍ１の外側部Ｍ１１から中央部分を含む範囲に拡がることで、適度な圧迫力を維持しつつ、適正な範囲を押圧することができる。
従って、装着者が、手軽に、仙骨を正しい位置に矯正することができるので、関節包内矯正具１００は、患者が自宅で手軽に施術でき、症状を改善させて、痛みを緩和させることができる。よって、関節包内矯正具１００は、生活への支障を軽減させることができる。
【００３３】
袋部５０は、圧迫体Ｐを横並びに収納しているため、右側と左側との双方の仙腸関節Ｍ３に押圧力を掛けることができる。そして、圧迫体Ｐが仙腸関節Ｍ３を押圧するときに、圧迫体Ｐが仙骨Ｍ１と腸骨Ｍ２の上後腸骨棘Ｍ２１とによりできる凹部Ｍ５に収まる位置に、袋部５０が形成されているため、圧迫体Ｐが仙骨Ｍ１と腸骨Ｍ２の上後腸骨棘Ｍ２１とにそれぞれ支持されるので、仙骨Ｍ１と上後腸骨棘Ｍ２１との間で安定する。また、圧迫体Ｐが横並びに配置され、圧迫体Ｐ同士は押圧し合う程度の間隔であるため、圧迫体Ｐは、仙骨Ｍ１と、上後腸骨棘Ｍ２１と、隣接する圧迫体Ｐとにより挟まれるため、更に安定する。
従って、装着者への押圧面が球面の圧迫体Ｐであっても、施術中に圧迫体Ｐをずれにくくすることができる。
【００３４】
更に、袋部５０は、圧迫体Ｐを横並びに収納して、圧迫体Ｐが仙腸関節Ｍ３を押圧するときに、図６に示すように、圧迫体Ｐ同士の曲面により、正中仙骨稜Ｍ１２との間に隙間Ｓができる位置に形成されているため、圧迫体Ｐによる押圧力が正中仙骨稜Ｍ１２に掛からない。従って、装着者は、正中仙骨稜Ｍ１２への押圧力による痛みを伴うことなく、治療することができる。
【００３５】
装着者の体のサイズにより、装着者によっては、多少、袋部５０に収納した圧迫体Ｐの位置が所定の位置に合わないことがある。また、第１〜第３コルセット１０〜３０を体のサイズに合わせて数種類準備したとしても、圧迫体Ｐの位置が所定の位置に合わない可能性がある。
【００３６】
しかし、袋部５０は、伸縮性を有する部材により形成され、圧迫体Ｐよりサイズが小さく形成されているため、圧迫体Ｐを袋部５０に適切な位置まで押し込んでも、その位置で圧迫体Ｐは袋部５０により挟持された状態となり、圧迫体Ｐが固定される。従って、圧迫体Ｐの位置を微調整することができるため、装着者の体のサイズに応じて圧迫体Ｐを適切な位置に配置することができる。
【００３７】
なお、本実施の形態では、関節包内矯正具１００を装着した装着者が、床面に寝転び治療していたが、関節包内矯正具１００を装着した状態においても、第１コルセット１０内に配置された圧迫体Ｐにより装着者は圧迫を受けるので、関節包内矯正具１００は、立位した状態でも使用できる。
また、袋部５０が２個の圧迫体Ｐに合わせて、第１コルセット１０に、２つ設けられているが、２個の圧迫体Ｐが一緒に収納できる袋部としてもよい。
【００３８】
更に、袋部５０が、第１コルセット１０の背中部分の内側に設けられていることで、装着者が第１コルセット１０を装着するだけで、袋部５０に収納された圧迫体Ｐによる押圧が第１コルセット１０の締め付けにより発生するため、装着者が立位した状態でも矯正を行うことができる。また、袋部５０が第１コルセット１０の背中部分の外側に設けられていれば、装着者が仰向けの状態で寝転がったり、壁面にすがれば、床面との間や壁面との間に圧迫体Ｐを位置させることができ、矯正を行うことができる。
【００３９】
従って、本実施の形態では、第１コルセット１０のみでも十分効果を得ることができるが、装着者が、第２コルセット２０および第３コルセット３０を第１コルセット１０と共に、装着することで、装着者が身長方向に前後しても、第１コルセット１０は、背中側が第２コルセット２０により連結され、腹部側が第３コルセット３０により連結されているためずれ難い。
【００４０】
また、第２コルセット２０は装着者の腹部に巻かれ、胴回りが固定されることで、腰椎を安静させることができる。また、腰痛は前屈みによる習慣性の動作姿勢が要因の一つであるため、第２コルセット２０を装着することで、動作姿勢を矯正して腰痛を防止し、緩和させることができる。
【００４１】
また、人間は二本脚歩行の動物であるため、自重による荷重が、背骨から下の仙骨に伝わり、そこから、左右の仙腸関節や股関節が左右の足に橋渡して伝わる。腰痛は、患っている期間が長くなると、脊柱起立筋や大殿筋、中殿筋、小殿筋、梨状筋が疲労した状態となるため、股関節の大転子から脊椎方向へのベクトルの支えが弱くなる。第３コルセット３０は、装着者の下腹部から臀部へ巻かれることで、臀部を支持し、症状を緩和させることができる。また、足へ坐骨神経がある場合も、第３コルセット３０は、症状緩和させることができる。
このように、第２コルセット２０と第３コルセット３０は、第１コルセットの装着を安定させるだけでなく、それぞれが装着者によい影響を与えることができる。
【００４２】
更に、本実施の形態では、装着体として、コルセットを例に説明したが、スパッツやガードルなどでも、袋部を備えた装着体として使用できる。
【産業上の利用可能性】
【００４３】
本発明は、整骨院やリハビリテーションを行う施設、医療用のコルセットの製造メーカー、スパッツやガードルを製造する服飾メーカーなどに好適である。
【符号の説明】
【００４４】
１００  関節包内矯正具
１０  第１コルセット
１１  第１コルセット本体
１２  面ファスナー
２０  第２コルセット
２１  第２コルセット本体
２２  面ファスナー
３０  第３コルセット
３１  第３コルセット本体
３２  面ファスナー
４０  連結部
５０  袋部
Ｐ  圧迫体
Ｍ１  仙骨
Ｍ１１  外側部
Ｍ１２  正中仙骨稜
Ｍ２  腸骨
Ｍ２１  上後腸骨棘
Ｍ３  仙腸関節
Ｍ４  背骨
Ｍ４１  胸椎
Ｍ５  凹部
Ｆ  床面
Ｓ  隙間
【図１】
2015177897.tif 000003
【図２】
2015177897.tif 000004
【図３】
2015177897.tif 000005
【図４】
2015177897.tif 000006
【図５】
2015177897.tif 000007
【図６】
2015177897.tif 000008